Podtech/llm-jp-corpus-v4-ja_patent huggingface dataset:
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
行列状に配置された、同一の波長域の光を検出する複数のセンサ素子からなる検出領域を、前記波長域ごとに複数備え、
複数の前記センサ素子は、互いに異なる偏光方向の光を検出するセンサ素子が隣接するとともに、偏光方向の数に対応する前記センサ素子からなるセットごとに配置される
検査装置。
【請求項２】
前記検出領域は、第１の方向に沿って細長い矩形形状に形成され、
前記第１の方向に対して直交する第２の方向に沿って見たときに、検出される全ての波長域の前記検出領域が、少なくとも１カ所以上に配置される
請求項１に記載の検査装置。
【請求項３】
前記第２の方向は、検査の対象となる検査対象物に対して相対的な移動が行われる移動方向である
請求項２に記載の検査装置。
【請求項４】
行方向および列方向に沿って見たときに、検出される全ての波長域の
前記検出領域が、少なくとも１カ所以上に配置される
請求項１乃至３のいずれかに記載の検査装置。
【請求項５】
行方向に４個かつ列方向に４個で配置される少なくとも１６個の前記センサ素子からなる前記検出領域が、それぞれの波長域の最小検出領域とされる
請求項１乃至４のいずれかに記載の検査装置。
【請求項６】
前記センサ素子によって、少なくとも３方向以上の偏光方向の光が検出される
請求項１乃至５のいずれかに記載の検査装置。
【請求項７】
赤色の波長領域の光を検出する前記検出領域、緑色の波長領域の光を検出する前記検出領域、青色の波長領域の光を検出する前記検出領域、および近赤外の波長領域の光を検出する前記検出領域
を備える請求項１乃至６のいずれかに記載の検査装置。
【請求項８】
無偏光かつ全波長域の光を検出する検出領域
をさらに備える請求項１乃至７のいずれかに記載の検査装置。
【請求項９】
無偏光、かつ、赤色の波長領域の光を検出するセンサ素子、緑色の波長領域の光を検出するセンサ素子、および青色の波長領域の光を検出するセンサ素子がベイヤ配列で配置された検出領域
をさらに備える請求項１乃至７のいずれかに記載の検査装置。
【請求項１０】
４方向の偏光方向の光を検出する４個の前記センサ素子を１セットとして、行×列が４×４となるように前記センサ素子が配置される
請求項１乃至９のいずれかに記載の検査装置。
【請求項１１】
前記センサ素子により検出された検出値に基づいて、１回に検出可能な大きさよりも広い範囲の画像を生成する信号処理を行う信号処理部をさらに備える
請求項１乃至１０のいずれかに記載の検査装置。
【請求項１２】
行列状に配置された、同一の波長域の光を検出する複数のセンサ素子からなる検出領域を、前記波長域ごとに複数備え、複数の前記センサ素子は、互いに異なる偏光方向の光を検出するセンサ素子が隣接するとともに、偏光方向の数に対応する前記センサ素子からなるセットごとに配置される検査装置の検査方法であって、
前記センサ素子により検出された検出値に基づいて、１回に検出可能な大きさよりも広い範囲の画像を生成する信号処理を行う
ステップを含む検査方法。
【請求項１３】
行列状に配置された、同一の波長域の光を検出する複数のセンサ素子からなる検出領域を、前記波長域ごとに複数備え、複数の前記センサ素子は、互いに異なる偏光方向の光を検出するセンサ素子が隣接するとともに、偏光方向の数に対応する前記センサ素子からなるセットごとに配置される検査装置に実行させるプログラムであって、
前記センサ素子により検出された検出値に基づいて、１回に検出可能な大きさよりも広い範囲の画像を生成する信号処理を行う
ステップを含む処理をコンピュータに実行させるプログラム。
【手続補正２】
【補正対象書類名】明細書
【補正対象項目名】００２２
【補正方法】変更
【補正の内容】
【００２２】
このように、検出装置１２は、画素のセットごとに、４つの偏光方向の光を検出し、赤色の検出領域Ｒ、緑色の検出領域Ｇ、青色の検出領域Ｂ、および近赤外の検出領域ＩＲごとに、それぞれの波長域の分割画像を取得することができる。そして、検出装置１２は、このような偏光方向および波長域の光の光量に応じた画素値により構成される画像のデータを、入力画像データとして信号処理装置１３に入力する。
【手続補正３】
【補正対象書類名】明細書
【補正対象項目名】００３６
【補正方法】変更
【補正の内容】
【００３６】
このように植生検査装置１１は構成されており、所定の波長域ごとに広範囲かつ高解像度の出力画像を取得することができる。そして、例えば、赤色の出力画像Ｒおよび近赤外の出力画像ＩＲから求められ正規化植生指数NDVIを用いた植生の検査を、例えば、畑などの広い範囲について高精細に行うことができる。
【手続補正４】
【補正対象書類名】明細書
【補正対象項目名】００３９
【補正方法】変更
【補正の内容】
【００３９】
偏光パラメータ抽出部３１ａは、検出装置１２から供給される入力画像データに基づいて、検査対象物の表面における光の偏光状態を表す偏光パラメータを抽出して、鏡面反射成分除去部３２ａおよび第２の特徴点検出部３５ａに供給する。例えば、偏光パラメータには、検査対象物の表面で光が反射する際の偏光の程度を示す偏光度や、検査対象物の表面の法線が検出装置１２に対して成す角度を示す法線ベクトルなどが含まれる。図２を参照して上述したように、検出装置１２は、隣接する４つの画素により４５度ごとの偏光方向の光を検出している。従って、偏光パラメータ抽出部３１ａは、これらの４つの画素の画素値から得られる偏光情報（それぞれの画素における偏光方向の違いに応じた画素値の差）に基づいて、それらの４つの画素により検出される検査対象物の表面での偏光パラメータを抽出することができる。
【手続補正５】
【補正対象書類名】明細書
【補正対象項目名】００６５
【補正方法】変更
【補正の内容】
【００６５】
ステップＳ２０において、第２の画像処理部２３ｂの画像分割部３３ｂは、検出装置１２により取得された画像を、検出装置１２により検出される波長域ごとに分割する。そして、画像分割部３３ｂは、それぞれの波長域ごとの分割画像を偏光パラメータ抽出部３１ｂおよび鏡面反射成分除去部３２ｂに供給する。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
画像データに含まれるオブジェクトを抽出する第１の抽出手段と、
前記第１の抽出手段で抽出されたオブジェクトのハイライト領域を抽出する第２の抽出手段と、
前記第２の抽出手段によって抽出されたハイライト領域と当該ハイライト領域の周囲の画素を含む領域を求め、当該領域に含まれる画素の明度のヒストグラムを生成する生成手段と、
前記生成手段によって生成されたヒストグラムに基づいて前記ハイライト領域以外の画素の明度を下げる制御手段と、
を有することを特徴とする画像処理装置。
【請求項２】
前記生成手段は、前記第１の抽出手段で抽出されたオブジェクト内で、当該オブジェクトの明度ヒストグラムの最頻値から大きく外れている明度の画素をヒストグラムの対象から除外したオブジェクト内で、前記第２の抽出手段によって抽出されたハイライト領域と当該ハイライト領域の周囲の画素を含む領域を求め、当該領域に含まれる画素の明度のヒストグラムを生成することを特徴とする請求項１に記載の画像処理装置。
【請求項３】
前記領域のサイズは、前記ハイライト領域のサイズの少なくとも１００倍のサイズであることを特徴とする請求項１又は２に記載の画像処理装置。
【請求項４】
前記制御手段は、ルックアップテーブルを使用して前記画素の明度を下げ、
前記ルックアップテーブルは、前記ハイライト領域の画素の明度は維持し、前記領域に含まれる前記ハイライト領域以外の画素の明度を下げる特性を有していることを特徴とする請求項１乃至３のいずれか１項に記載の画像処理装置。
【請求項５】
前記制御手段は、互いに異なる複数のルックアップテーブルを使用して前記画素の明度を下げ、画素の明度のヒストグラムの歪度が最も高いヒストグラムに基づいて前記ハイライト領域以外の画素の明度を下げることを特徴とする請求項４に記載の画像処理装置。
【請求項６】
前記領域は、前記ハイライト領域からの距離、或いは、前記ハイライト領域の画素の明度と前記ハイライト領域の周囲の画素の明度との差の少なくともいずれかに応じて決定されることを特徴とする請求項１に記載の画像処理装置。
【請求項７】
前記制御手段は、前記ヒストグラムの歪度が正の場合に、前記ハイライト領域以外の画素の明度を下げることを特徴とする請求項１に記載の画像処理装置。
【請求項８】
画像処理装置を制御する制御方法であって、
画像データに含まれるオブジェクトを抽出する第１の抽出工程と、
前記第１の抽出工程で抽出されたオブジェクトのハイライト領域を抽出する第２の抽出工程と、
前記第２の抽出工程で抽出されたオブジェクト内で前記ハイライト領域と当該ハイライト領域の周囲の画素を含む領域を求め、当該領域に含まれる画素の明度のヒストグラムを生成する生成工程と、
前記生成工程で生成されたヒストグラムに基づいて前記ハイライト領域以外の画素の明度を下げる制御工程と、
を有することを特徴とする画像処理装置の制御方法。
【請求項９】
コンピュータを、請求項１乃至７のいずれか１項に記載の画像処理装置の各手段として機能させるためのプログラム。
【手続補正２】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
画像データに含まれるオブジェクトを抽出する第１の抽出手段と、
前記第１の抽出手段で抽出されたオブジェクトのハイライト領域を抽出する第２の抽出手段と、
前記第２の抽出手段によって抽出されたハイライト領域と当該ハイライト領域の周囲の画素を含む領域を求め、当該領域に含まれる画素の明度のヒストグラムを生成する生成手段と、
前記生成手段によって生成されたヒストグラムに基づいて前記ハイライト領域以外の画素の明度を下げる制御手段と、を有することを特徴とする。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
外部のアクセスポイントに接続して外部装置と通信を行う第１の通信機能と、アクセスポイントとして情報処理装置を動作させ、外部のアクセスポイントを介すことなく外部装置と直接無線通信を行う第２の通信機能を有する情報処理装置であって、
前記第１の通信機能を使用する設定が前記情報処理装置になされており、且つ、前記第１の通信機能において前記外部のアクセスポイントと通信するための周波数チャネルが決まっていない場合、前記第２の通信機能が有効な状態で前記情報処理装置を動作させることを禁止するように制御する制御手段を有することを特徴とする情報処理装置。
【請求項２】
前記制御手段は、前記第１の通信機能を使用する設定が前記情報処理装置になされていない場合、前記第２の通信機能が有効な状態で前記情報処理装置を動作させることを許可することを特徴とする請求項１に記載の情報処理装置。
【請求項３】
前記アクセスポイントとして前記情報処理装置が動作しておらず、且つ、前記第１の通信機能において前記外部のアクセスポイントと通信するための前記周波数チャネルが決まっている条件において、前記制御手段は、所定のユーザ操作を受け付けたことに基づき、前記第１の通信機能で使用している前記周波数チャネルと同じ周波数チャネルで外部装置と通信するためのアクセスポイントとして前記情報処理装置が動作するように前記第２の通信機能の動作を開始することを特徴とする請求項２に記載の情報処理装置。
【請求項４】
前記第２の通信機能が有効な状態で前記情報処理装置を動作させることを禁止する際、前記制御手段は、前記所定のユーザ操作を行うための表示オブジェクトを前記情報処理装置の表示部に表示しないよう表示制御を行うことにより、前記第２の通信機能が有効な状態に前記情報処理装置を遷移させることを禁止することを特徴とする請求項３に記載の情報処理装置。
【請求項５】
前記情報処理装置は、前記第１の通信機能とは異なる通信方式で外部装置と通信する第３の通信機能を更に有し、前記情報処理装置は、前記第１の通信機能を使用する設定が前記情報処理装置になされいるか否かによらず、前記第３の通信機能を用いて外部装置と通信可能であることを特徴とする請求項１乃至４のいずれか１項に記載の情報処理装置。
【請求項６】
前記第３の通信機能は、Ｂｌｕｅｔｏｏｔｈ（登録商標）規格に基づいて外部装置と無線通信を行う機能であることを特徴とする請求項５に記載の情報処理装置。
【請求項７】
前記情報処理装置は印刷装置であることを特徴とする請求項１乃至６のいずれか１項に記載の情報処理装置。
【請求項８】
外部のアクセスポイントに接続し、外部装置と通信を行う第１の通信機能と、アクセスポイントとして情報処理装置を動作させ、外部のアクセスポイントを介すことなく外部装置と直接無線通信を行う第２の通信機能を有する情報処理装置の制御方法であって、
前記第１の通信機能を使用する設定が前記情報処理装置になさており、且つ、前記第１の通信機能において前記外部のアクセスポイントと通信するための周波数チャネルが決まっていない場合、前記第２の通信機能が有効な状態で前記情報処理装置を動作させることを禁止する第１の制御工程を有することを特徴とする制御方法。
【請求項９】
前記第１の通信機能を使用する設定が前記情報処理装置になされていない場合、前記第２の通信機能が有効な状態で前記情報処理装置を動作させることを許可する第２の制御工程を更に有することを特徴とする請求項８に記載の制御方法。
【請求項１０】
前記アクセスポイントとして前記情報処理装置が動作しておらず、且つ、前記第１の通信機能において前記外部のアクセスポイントと通信するための前記周波数チャネルが決まっている条件において、前記第２の制御工程では、所定のユーザ操作を受け付けたことに基づき、前記第１の通信機能で使用している前記周波数チャネルと同じ周波数チャネルで外部装置と通信するためのアクセスポイントとして前記情報処理装置が動作するように前記第２の通信機能の動作を開始するよう制御することにより、前記第２の通信機能が有効な状態で前記情報処理装置を動作させることを許可することを特徴とする請求項９に記載の制御方法。
【請求項１１】
前記第１の制御工程では、前記前記第２の通信機能が有効な状態で前記情報処理装置を動作させることを禁止する際、前記所定のユーザ操作を行うための表示オブジェクトを前記情報処理装置の表示部に表示しないよう表示制御を行うことにより、前記第２の通信機能が有効な状態に前記情報処理装置を遷移させることを禁止することを特徴とする請求項１０に記載の制御方法。
【請求項１２】
前記情報処理装置は、第１の通信機能とは異なる通信方式で外部装置と通信する第３の通信機能を更に有し、前記情報処理装置は、前記第１の通信機能を使用する設定が前記情報処理装置になされているか否かによらず、前記第３の通信機能を用いて外部装置と通信可能であることを特徴とする請求項９乃至１１のいずれか１項に記載の制御方法。
【請求項１３】
前記第３の通信機能は、Ｂｌｕｅｔｏｏｔｈ（登録商標）規格に基づいて外部装置と無線通信を行う機能であることを特徴とする請求項１２に記載の制御方法。
【請求項１４】
コンピュータに、請求項８乃至１３のいずれか１項に記載の制御方法の各工程を実行させるためのプログラム。
【手続補正２】
【補正対象書類名】明細書
【補正対象項目名】０００７
【補正方法】変更
【補正の内容】
【０００７】
本発明の目的は、無線通信において、外部のアクセスポイントを中継して行う無線通信と、外部のアクセスポイントを中継しない無線通信の周波数チャネルが同一であることを保証できる技術を提供することにある。
【手続補正３】
【補正対象書類名】明細書
【補正対象項目名】０００８
【補正方法】変更
【補正の内容】
【０００８】
上記目的を達成するために本発明の一態様に係る情報処理装置は以下のような構成を備える。即ち、
外部のアクセスポイントに接続して外部装置と通信を行う第１の通信機能と、アクセスポイントとして情報処理装置を動作させ、外部のアクセスポイントを介すことなく外部装置と直接無線通信を行う第２の通信機能を有する情報処理装置であって、
前記第１の通信機能を使用する設定が前記情報処理装置になされており、且つ、前記第１の通信機能において前記外部のアクセスポイントと通信するための周波数チャネルが決まっていない場合、前記第２の通信機能が有効な状態で前記情報処理装置を動作させることを禁止するように制御する制御手段を有することを特徴とする。
【手続補正４】
【補正対象書類名】明細書
【補正対象項目名】０００９
【補正方法】変更
【補正の内容】
【０００９】
本発明によれば、無線通信において、外部のアクセスポイントを中継して行う無線通信と、外部のアクセスポイントを中継しない無線通信の周波数チャネルが同一であることを保証できる。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
同一の波長域の光を検出するとともに、隣接するセンサ素子が互いに異なる偏光方向の光を検出する複数のセンサ素子からなる検出領域を、前記波長域ごとに複数備えた検出部の出力に基づき、前記検出領域ごとに構成される画像から特徴点を検出する特徴点検出部と、
検出された前記特徴点に基づいて、前記検出領域ごとの画像をステッチし、前記検出部により取得可能な１枚分の画像よりも大きな画像を構築する画像処理部と
を備える信号処理装置。
【請求項２】
検査の対象となる検査対象物の表面における光の偏光状態を表す偏光パラメータを抽出する偏光パラメータ抽出部と、
前記偏光パラメータに基づいて、前記検査対象物の表面における鏡面反射成分を前記画像から除去する鏡面反射成分除去部と
をさらに備える請求項１に記載の信号処理装置。
【請求項３】
前記センサ素子は、前記偏光方向の数に応じた個数のセットごとに隣接して配置され、
前記偏光パラメータ抽出部は、１セットの前記センサ素子における前記偏光方向の違いに応じた前記センサ素子の出力の差に基づいて、前記偏光パラメータを抽出する
請求項２に記載の信号処理装置。
【請求項４】
前記偏光パラメータ抽出部により抽出された前記偏光パラメータをマッピングした画像から特徴点を検出する偏光パラメータ特徴点検出部
をさらに備え、
前記画像処理部は、前記偏光パラメータ特徴点検出部により検出された特徴点にも基づいて、前記検出領域ごとの画像をステッチする
請求項２に記載の信号処理装置。
【請求項５】
前記検出領域ごとに前記画像を分割する分割部
をさらに備える請求項２乃至４のいずれかに記載の信号処理装置。
【請求項６】
前記偏光パラメータ抽出部により前記偏光パラメータが抽出された後に、前記分割部による前記検出領域ごとの分割が行われる
請求項５に記載の信号処理装置。
【請求項７】
前記分割部により前記画像が前記検出領域ごとに分割された後に、前記偏光パラメータ抽出部による前記偏光パラメータの抽出が行われる
請求項５に記載の信号処理装置。
【請求項８】
前記画像に対する解析を行う解析部と、
前記偏光パラメータ抽出部により前記偏光パラメータが抽出された後に、前記分割部による前記検出領域ごとの分割が行われる第１の処理、および、前記分割部により前記画像が前記検出領域ごとに分割された後に、前記偏光パラメータ抽出部による前記偏光パラメータの抽出が行われる第２の処理のいずれか一方を、前記解析部による解析結果に従って選択する処理選択部
をさらに備える請求項５に記載の信号処理装置。
【請求項９】
前記解析部は、取得可能な１枚分の画像を構成する画素値のヒストグラムを求めて、前記検出領域ごとに、特定の基準値よりも小さな前記画素値の個数を解析結果として求め、
前記処理選択部は、
全ての前記検出領域において、特定の基準値よりも小さな前記画素値の個数が閾値以上である場合、前記第１の処理を選択し、
いずれかの前記検出領域において、特定の基準値よりも小さな前記画素値の個数が閾値未満である場合、前記第２の処理を選択する
請求項８に記載の信号処理装置。
【請求項１０】
前記第１の処理では、前記偏光パラメータ抽出部により抽出された前記偏光パラメータに基づいて前記鏡面反射成分除去部により鏡面反射成分が除去された前記画像が、前記分割部により分割される
請求項８または９に記載の信号処理装置。
【請求項１１】
前記第２の処理では、前記分割部により分割された前記画像から前記偏光パラメータ抽出部により抽出された前記偏光パラメータに基づいて、前記分割部により分割された前記画像ごとに前記鏡面反射成分除去部により鏡面反射成分が除去される
請求項８または９に記載の信号処理装置。
【請求項１２】
同一の波長域の光を検出するとともに、隣接するセンサ素子が互いに異なる偏光方向の光を検出する複数のセンサ素子からなる検出領域を、前記波長域ごとに複数備えた検出部の出力に基づき、前記検出領域ごとに構成される画像から特徴点を検出し、
検出された前記特徴点に基づいて、前記検出領域ごとの画像をステッチし、前記検出部により取得可能な１枚分の画像よりも大きな画像を構築する
ステップを含む信号処理方法。
【請求項１３】
同一の波長域の光を検出するとともに、隣接するセンサ素子が互いに異なる偏光方向の光を検出する複数のセンサ素子からなる検出領域を、前記波長域ごとに複数備えた検出部の出力に基づき、前記検出領域ごとに構成される画像から特徴点を検出し、
検出された前記特徴点に基づいて、前記検出領域ごとの画像をステッチし、前記検出部により取得可能な１枚分の画像よりも大きな画像を構築する
ステップを含む信号処理をコンピュータに実行させるプログラム。
【手続補正２】
【補正対象書類名】明細書
【補正対象項目名】００２２
【補正方法】変更
【補正の内容】
【００２２】
このように、検出装置１２は、画素のセットごとに、４つの偏光方向の光を検出し、赤色の検出領域Ｒ、緑色の検出領域Ｇ、青色の検出領域Ｂ、および近赤外の検出領域ＩＲごとに、それぞれの波長域の分割画像を取得することができる。そして、検出装置１２は、このような偏光方向および波長域の光の光量に応じた画素値により構成される画像のデータを、入力画像データとして信号処理装置１３に入力する。
【手続補正３】
【補正対象書類名】明細書
【補正対象項目名】００３６
【補正方法】変更
【補正の内容】
【００３６】
このように植生検査装置１１は構成されており、所定の波長域ごとに広範囲かつ高解像度の出力画像を取得することができる。そして、例えば、赤色の出力画像Ｒおよび近赤外の出力画像ＩＲから求められ正規化植生指数NDVIを用いた植生の検査を、例えば、畑などの広い範囲について高精細に行うことができる。
【手続補正４】
【補正対象書類名】明細書
【補正対象項目名】００３９
【補正方法】変更
【補正の内容】
【００３９】
偏光パラメータ抽出部３１ａは、検出装置１２から供給される入力画像データに基づいて、検査対象物の表面における光の偏光状態を表す偏光パラメータを抽出して、鏡面反射成分除去部３２ａおよび第２の特徴点検出部３５ａに供給する。例えば、偏光パラメータには、検査対象物の表面で光が反射する際の偏光の程度を示す偏光度や、検査対象物の表面の法線が検出装置１２に対して成す角度を示す法線ベクトルなどが含まれる。図２を参照して上述したように、検出装置１２は、隣接する４つの画素により４５度ごとの偏光方向の光を検出している。従って、偏光パラメータ抽出部３１ａは、これらの４つの画素の画素値から得られる偏光情報（それぞれの画素における偏光方向の違いに応じた画素値の差）に基づいて、それらの４つの画素により検出される検査対象物の表面での偏光パラメータを抽出することができる。
【手続補正５】
【補正対象書類名】明細書
【補正対象項目名】００６５
【補正方法】変更
【補正の内容】
【００６５】
ステップＳ２０において、第２の画像処理部２３ｂの画像分割部３３ｂは、検出装置１２により取得された画像を、検出装置１２により検出される波長域ごとに分割する。そして、画像分割部３３ｂは、それぞれの波長域ごとの分割画像を偏光パラメータ抽出部３１ｂおよび鏡面反射成分除去部３２ｂに供給する。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
第１入球口、及び、遊技球の入球し易さが変化可能な第２入球口と、
特別入賞口、前記特別入賞口を開閉する特別入賞口開閉部材、及び、前記特別入賞口に入賞した遊技球が通過可能な特定領域と、
前記第１入球口への入球に基づいて、少なくとも大当たりの判定を含む第１判定処理を行う第１判定手段と、
前記第２入球口への入球に基づいて、少なくとも小当たりの判定を含む第２判定処理を行う第２判定手段と、
前記小当たりに当選すると、停止表示された小当たり図柄の種別に応じた開放パターンにて前記特別入賞口開閉部材を開放させる第１特別遊技を行う第１特別遊技実行手段と、
前記大当たりに当選した場合、及び、前記第１特別遊技の実行中に前記特定領域へ遊技球が通過した場合に、遊技者に有利な第２特別遊技を実行する第２特別遊技実行手段と、
前記第２特別遊技後の遊技状態を、所定の終了条件が成立するまで、通常遊技状態よりも前記第２入球口に遊技球が入球し易い特典遊技状態に制御可能な遊技状態制御手段と、
前記第２入球口への入球に基づいて、判定用情報を所定の上限数まで記憶可能な記憶手段と、を備え、
前記第２判定手段により小当たりと判定された場合における前記第１特別遊技では、前記特別入賞口開閉部材の開放パターンを前記特別入賞口に入賞した遊技球のうち少なくとも１球は前記特定領域に通過可能な通過開放パターンに制御するものであり、
前記特典遊技状態における特定条件期間での前記第２入球口への遊技球の入球に基づいて、前記第２入球口への遊技球の入球数を示唆する入球数示唆演出を実行するものであり、
前記入球数示唆演出は、前記記憶手段に記憶されている判定情報の中に前記小当たりとなる判定情報が含まれていることを事前に示唆可能に構成されていることを特徴とする遊技機。
【手続補正２】
【補正対象書類名】明細書
【補正対象項目名】０００７
【補正方法】変更
【補正の内容】
【０００７】
本発明の遊技機は、
第１入球口、及び、遊技球の入球し易さが変化可能な第２入球口と、
特別入賞口、前記特別入賞口を開閉する特別入賞口開閉部材、及び、前記特別入賞口に入賞した遊技球が通過可能な特定領域と、
前記第１入球口への入球に基づいて、少なくとも大当たりの判定を含む第１判定処理を行う第１判定手段と、
前記第２入球口への入球に基づいて、少なくとも小当たりの判定を含む第２判定処理を行う第２判定手段と、
前記小当たりに当選すると、停止表示された小当たり図柄の種別に応じた開放パターンにて前記特別入賞口開閉部材を開放させる第１特別遊技を行う第１特別遊技実行手段と、
前記大当たりに当選した場合、及び、前記第１特別遊技の実行中に前記特定領域へ遊技球が通過した場合に、遊技者に有利な第２特別遊技を実行する第２特別遊技実行手段と、
前記第２特別遊技後の遊技状態を、所定の終了条件が成立するまで、通常遊技状態よりも前記第２入球口に遊技球が入球し易い特典遊技状態に制御可能な遊技状態制御手段と、
前記第２入球口への入球に基づいて、判定用情報を所定の上限数まで記憶可能な記憶手段と、を備え、
前記第２判定手段により小当たりと判定された場合における前記第１特別遊技では、前記特別入賞口開閉部材の開放パターンを前記特別入賞口に入賞した遊技球のうち少なくとも１球は前記特定領域に通過可能な通過開放パターンに制御するものであり、
前記特典遊技状態における特定条件期間での前記第２入球口への遊技球の入球に基づいて、前記第２入球口への遊技球の入球数を示唆する入球数示唆演出を実行するものであり、
前記入球数示唆演出は、前記記憶手段に記憶されている判定情報の中に前記小当たりとなる判定情報が含まれていることを事前に示唆可能に構成されていることを特徴とする遊技機である。
【手続補正書】
【提出日】令和1年8月23日(2019.8.23)
【手続補正１】
【補正対象書類名】明細書
【補正対象項目名】０００６
【補正方法】変更
【補正の内容】
【０００６】
上記の課題を解決するために、本発明は、遊技者に有利な特定遊技区間の終了後に前記特定遊技区間を再設定するか否かを決定する再設定抽選を行う抽選手段を備え、前記再設定抽選にて、前記特定遊技区間を再設定することを決定した場合に前記特定遊技区間の終了後に前記特定遊技区間を再設定する一方、前記特定遊技区間を再設定しないことを決定した場合に前記特定遊技区間の終了後に他の遊技区間を設定する遊技機であって、前記特定遊技区間が再設定されることに対する期待度を変動させる変動手段を備え、前記変動手段は、前記特定遊技区間が再設定される場合には、Ｎ回目（Ｎは、２以上の整数）に設定された前記特定遊技区間における前記期待度を、（Ｎ−１）回目に設定された前記特定遊技区間における前記期待度以上となるように変動させることを特徴とする。
【手続補正２】
【補正対象書類名】明細書
【補正対象項目名】０００７
【補正方法】変更
【補正の内容】
【０００７】
本発明によると、特定遊技区間が再設定される場合には、Ｎ回目（Ｎは、２以上の整数）に設定された特定遊技区間における期待度を、（Ｎ−１）回目に設定された特定遊技区間における期待度以上となるように変動させる。このため、特定遊技区間が再設定されることに対する期待度に変化を与えて興趣に富んだ遊技を実行可能になる。したがって、再設定抽選の結果は遊技者の関心を強く惹きつけることが可能になり、遊技性を向上させることができる。
【手続補正３】
【補正対象書類名】明細書
【補正対象項目名】０００８
【補正方法】変更
【補正の内容】
【０００８】
上記の課題を解決するために、本発明は、遊技者に有利な特定遊技区間の終了後に前記特定遊技区間を再設定するか否かを決定する再設定抽選を行う抽選手段を備え、前記再設定抽選にて、前記特定遊技区間を再設定することを決定した場合に前記特定遊技区間の終了後に前記特定遊技区間を再設定する一方、前記特定遊技区間を再設定しないことを決定した場合に前記特定遊技区間の終了後に他の遊技区間を設定する遊技機であって、前記特定遊技区間が再設定されることに対する期待度を変動させる変動手段を備え、前記変動手段は、前記特定遊技区間が再設定される場合には、１回目に再設定された前記特定遊技区間における前記期待度を、１回目に設定された前記特定遊技区間における前記期待度とは異なるように変動させ、Ｎ回目（Ｎは、３以上の整数）に設定された前記特定遊技区間における前記期待度を、（Ｎ−１）回目に設定された前記特定遊技区間における前記期待度以上となるように変動させることを特徴とする。
【手続補正４】
【補正対象書類名】明細書
【補正対象項目名】０００９
【補正方法】変更
【補正の内容】
【０００９】
本発明によると、特定遊技区間が再設定される場合には、１回目に再設定された特定遊技区間において特定遊技区間が再設定されることに対する期待度を、１回目に設定された特定遊技区間における期待度とは異なるように変動させ、Ｎ回目（Ｎは、３以上の整数）に設定された特定遊技区間における期待度を、（Ｎ−１）回目に設定された特定遊技区間における期待度以上となるように変動させる。このため、特定遊技区間が再設定されることに対する期待度に変化を与えて興趣に富んだ遊技を実行可能になる。したがって、再設定抽選の結果は遊技者の関心を強く惹きつけることが可能になり、遊技性を向上させることができる。
【手続補正５】
【補正対象書類名】特許請求の範囲
【補正対象項目名】全文
【補正方法】変更
【補正の内容】
【特許請求の範囲】
【請求項１】
遊技者に有利な特定遊技区間の終了後に前記特定遊技区間を再設定するか否かを決定する再設定抽選を行う抽選手段を備え、
前記再設定抽選にて、前記特定遊技区間を再設定することを決定した場合に前記特定遊技区間の終了後に前記特定遊技区間を再設定する一方、前記特定遊技区間を再設定しないことを決定した場合に前記特定遊技区間の終了後に他の遊技区間を設定する遊技機であって、
前記特定遊技区間が再設定されることに対する期待度を変動させる変動手段を備え、
前記変動手段は、
前記特定遊技区間が再設定される場合には、
Ｎ回目（Ｎは、２以上の整数）に設定された前記特定遊技区間における前記期待度を、（Ｎ−１）回目に設定された前記特定遊技区間における前記期待度以上となるように変動させることを特徴とする遊技機。
【請求項２】
遊技者に有利な特定遊技区間の終了後に前記特定遊技区間を再設定するか否かを決定する再設定抽選を行う抽選手段を備え、
前記再設定抽選にて、前記特定遊技区間を再設定することを決定した場合に前記特定遊技区間の終了後に前記特定遊技区間を再設定する一方、前記特定遊技区間を再設定しないことを決定した場合に前記特定遊技区間の終了後に他の遊技区間を設定する遊技機であって、
前記特定遊技区間が再設定されることに対する期待度を変動させる変動手段を備え、
前記変動手段は、
前記特定遊技区間が再設定される場合には、
１回目に再設定された前記特定遊技区間における前記期待度を、１回目に設定された前記特定遊技区間における前記期待度とは異なるように変動させ、
Ｎ回目（Ｎは、３以上の整数）に設定された前記特定遊技区間における前記期待度を、（Ｎ−１）回目に設定された前記特定遊技区間における前記期待度以上となるように変動させることを特徴とする遊技機。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
体外血液処理用装置、特に、透析装置の内部において血液を搬送する蠕動型ポンプであって、前記蠕動型ポンプは駆動軸によって回転するローターを備え、前記ローターは弾性変形可能な流体管と相互作用して断面絞りを形成し、前記断面絞りは前記ローターの回転により流体を搬送するための前記流体管に沿って移動し、前記ローターは連結機構を介して前記駆動軸と連結し、トルクを伝達し、
前記連結機構は、前記ローターと、回転方向に遊びを有する前記駆動軸とを相互に連結するものであり、
前記連結機構は、その回転軸に平行に形成されている少なくとも一つの平坦な第一ガイドと、前記第一ガイドと相互作用するよう形成されている少なくとも一つの第二ガイドと、を備える蠕動型ポンプにおいて、
前記第二ガイドは、部分的に、または、全体的に丸く形成され、前記遊びの範囲内において相対的に回転している間において、前記第二ガイドの半径上において前記第一ガイドをロールオフさせるものであることを特徴とする蠕動型ポンプ。
【請求項２】
前記ローターと前記駆動軸とは取り外し可能に相互に連結されていることを特徴とする請求項１に記載の蠕動型ポンプ。
【請求項３】
前記連結機構は二つの前記第一ガイドを有しており、これら二つの第一ガイドは前記回転軸の両側の直径方向上において相互に平行に位置していることを特徴とする請求項１に記載の蠕動型ポンプ。
【請求項４】
前記少なくとも一つの第二ガイドは、前記回転軸に対して平行であり、かつ、相互に傾斜している少なくとも二つのガイド面として形成されているものであることを特徴とする請求項１に記載の蠕動型ポンプ。
【請求項５】
前記第二ガイドは前記二つのガイド面の間の中間部分において丸くなっており、好ましくは約５ｍｍから約２５ｍｍ、さらに好ましくは約１０ｍｍから約２０ｍｍまでの範囲の半径、より好ましくは約１５ｍｍの半径を有していることを特徴とする請求項４に記載の蠕動型ポンプ。
【請求項６】
前記第二ガイドは丸くなっており、好ましくは約５ｍｍから約２５ｍｍ、さらに好ましくは約１０ｍｍから約２０ｍｍまでの範囲の半径、より好ましくは約１５ｍｍの半径を有していることを特徴とする請求項１に記載の蠕動型ポンプ。
【請求項７】
前記連結機構は、前記回転軸の両側の直径方向上において、二つの第二ガイドを有していることを特徴とする請求項４乃至６の何れか一項に記載の蠕動型ポンプ。
【請求項８】
前記駆動軸または前記ローターは中央に溝を、または、両側に平坦部分を有していることを特徴とする請求項１乃至３の何れか一項に記載の蠕動型ポンプ。
【請求項９】
前記ローターはロック機構を介して前記駆動軸に連結されているか、あるいは、前記ロック機構を備えており、前記第一ガイドまたは前記第二ガイドは前記ロック機構上に形成されていることを特徴とする請求項１に記載の蠕動型ポンプ。
【請求項１０】
前記ロック機構は枢動軸を中心として前記ローターの回転軸に対して枢動可能であり、さらに、前記連結機構を介して前記ローターを前記駆動軸に連結するロック位置と、前記ローターを前記駆動軸から外すロック解除位置とに位置することが可能であることを特徴とする請求項１に記載の蠕動型ポンプ。
【手続補正２】
【補正対象書類名】明細書
【補正対象項目名】０００７
【補正方法】変更
【補正の内容】
【０００７】
本発明によれば、上記の目的は、体外血液処理用装置、特に、透析装置の内部において血液を搬送する蠕動型ポンプであって、前記蠕動型ポンプは駆動軸によって回転するローターを備え、前記ローターは弾性変形可能な流体管と相互作用して断面絞りを形成し、前記断面絞りは前記ローターの回転により流体を搬送するための前記流体管に沿って移動し、前記ローターは連結機構を介して前記駆動軸と連結し、トルクを伝達し、前記連結機構は、前記ローターと、回転方向に遊びを有する前記駆動軸とを相互に連結するものであり、前記連結機構は、その回転軸に平行に形成されている少なくとも一つの平坦な第一ガイドと、前記第一ガイドと相互作用するよう形成されている少なくとも一つの第二ガイドと、を備える蠕動型ポンプにおいて、前記第二ガイドは、部分的に、または、全体的に丸く形成され、前記遊びの範囲内において相対的に回転している間において、前記第二ガイドの半径上において前記第一ガイドをロールオフさせるものであることを特徴とする蠕動型ポンプによって達成される。
本発明の目的は、本発明に係る上記の蠕動型ポンプを備える体外血液処理用装置によっても達成される。
【手続補正３】
【補正対象書類名】明細書
【補正対象項目名】００１３
【補正方法】変更
【補正の内容】
【００１３】
連結機構は、回転軸に平行に形成されている少なくとも一つの平坦な第一ガイドを有している。
この第一ガイドはローター側または駆動軸側の何れかに設けられる。
第一ガイドはガイド面として、例えば、平坦なガイド面として形成することができる。
これらのガイド面は、例えば、単に回転軸と平行に駆動軸を平坦に形成することにより、構成することができる。
連結機構が二つの平坦な第一ガイドを有しており、これら二つの第一ガイドは回転軸の両側の直径方向上において相互に平行に位置していることが好ましい。
これにより、回転方向を変えるときに、トルクを一様に伝達することが可能になる。
【手続補正４】
【補正対象書類名】図面
【補正対象項目名】図５
【補正方法】変更
【補正の内容】
【図５】
2018029957.tif 000001
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
プロセッサを備えるコンピュータにより実行される方法であって、
前記方法は、前記プロセッサに、
第１プレイヤキャラクタと、第１オブジェクトと、第２オブジェクトとを含む仮想空間を定義するステップと、
ユーザの身体の部分の動きに応じて、前記第２オブジェクトを動かすステップと、
前記第１プレイヤキャラクタの少なくとも一部の外観として前記第１オブジェクトが設定された状態において、前記第２オブジェクトが動かされることにより、前記第１プレイヤキャラクタ、または、前記第１プレイヤキャラクタに関連付けられた所定のオブジェクト、と前記第２オブジェクトの位置関係が所定の条件を満たす場合には、前記第１プレイヤキャラクタの少なくとも一部の外観を、前記第１オブジェクトから前記第２オブジェクトに変更するステップと、
を実行させる、方法。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
半導体素子（１１）を内蔵する半導体モジュール（１０）と、
該半導体モジュールを冷却する冷却体（１５）と、
平滑コンデンサ素子（４４）とフィルタコンデンサ素子（４１）とを含むコンデンサ部（４０）と、
上記平滑コンデンサ素子及び上記フィルタコンデンサ素子と直流電源（２）とを電気的に接続するとともに、一部が樹脂封止された入力バスバモジュール（５）とを有し、
上記平滑コンデンサ素子と上記フィルタコンデンサ素子との並び方向は、上記コンデンサ部と上記半導体モジュールとの並び方向に直交しており、
上記入力バスバモジュールは、上記半導体モジュールの配置領域に隣接する領域のなかで、上記コンデンサ部と上記半導体モジュールとの並び方向に直交する方向において上記平滑コンデンサ素子から遠い側の領域に配置されており、
上記入力バスバモジュールと上記半導体モジュールとの間には、上記冷却体に熱的に接触する金属製の壁部（８２ｃ）が配置されている電力変換装置（１）。
【請求項２】
上記直流電源と上記コンデンサ部との間の電圧を検出する検出回路を備えた制御回路基板（２０）と、
上記入力バスバモジュールに電気的に接続されるとともに、上記制御回路基板に接続された検出端子と、を備え、
上記制御回路基板と上記検出端子との接続部（７２）は、上記制御回路基板と上記半導体モジュールとの並び方向における上記半導体モジュールの投影領域外に位置している、請求項１に記載の電力変換装置。
【請求項３】
上記半導体モジュール及び上記冷却体は、上記コンデンサ部と上記制御回路基板との間に配置されている、請求項２に記載の電力変換装置。
【請求項４】
上記入力バスバモジュールは、上記半導体モジュールの配置領域に隣接する領域に配置されている部分が樹脂封止されている、請求項１〜３のいずれか一項に記載の電力変換装置。
【手続補正２】
【補正対象書類名】明細書
【補正対象項目名】０００６
【補正方法】変更
【補正の内容】
【０００６】
本発明の一態様は、半導体素子を内蔵する半導体モジュールと、
該半導体モジュールを冷却する冷却体と、
平滑コンデンサ素子とフィルタコンデンサ素子とを含むコンデンサ部と、
上記平滑コンデンサ素子及び上記フィルタコンデンサ素子と直流電源とを電気的に接続するとともに、一部が樹脂封止された入力バスバモジュールとを有し、
上記平滑コンデンサ素子と上記フィルタコンデンサ素子との並び方向は、上記コンデンサ部と上記半導体モジュールとの並び方向に直交しており、
上記入力バスバモジュールは、上記半導体モジュールの配置領域に隣接する領域のなかで、上記コンデンサ部と上記半導体モジュールとの並び方向に直交する方向において上記平滑コンデンサ素子から遠い側の領域に配置されており、
上記入力バスバモジュールと上記半導体モジュールとの間には、上記冷却体に熱的に接触する金属製の壁部が配置されている電力変換装置にある。
【手続補正３】
【補正対象書類名】明細書
【補正対象項目名】００２５
【補正方法】変更
【補正の内容】
【００２５】
主Ｐバスバ３０ｐは、図１に示すように、複数の半導体モジュール１０の各正極端子１１ｐ（図５参照）に接続されているとともに、主Ｐバスバ接続部３１ｐにおいて検出用バスバ７０に接続されている。そして、主Ｐバスバ３０ｐは、主Ｎバスバ３０ｎと同様に、コンデンサモールド樹脂４６の外に配されている。
【手続補正４】
【補正対象書類名】明細書
【補正対象項目名】００２６
【補正方法】変更
【補正の内容】
【００２６】
正極バスバ４５ｐは、図１に示すように、平滑コンデンサ４４の正極端子４４ｐに接続されているとともに、正極バスバ接続部４６ｐを備える。そして、正極バスバ接続部４６ｐは、主Ｐバスバ接続部３１ｐとともに、検出用バスバ７０に接続されている。
【手続補正５】
【補正対象書類名】図面
【補正対象項目名】図１
【補正方法】変更
【補正の内容】
【図１】
2019017246.tif 000001
【手続補正書】
【提出日】令和1年7月11日(2019.7.11)
【手続補正１】
【補正対象書類名】明細書
【補正対象項目名】０００７
【補正方法】変更
【補正の内容】
【０００７】
【図１】  発電機本体の水平断面図
【図２】  Ａ―Ａ  １，２の垂直断面図
【図３】  Ｂ―Ｂ  ２，５、６の垂直断面図
【図４】  Ｃ―Ｃ  ３、７の垂直断面図
【図５】  Ｄ―Ｄ  ２，６の垂直断面図
【図６】  Ｅ―Ｅ  ２，４，８，９，１０の垂直断面図  （Ａ｀―Ａ｀）は（Ａ―Ａ）に同じ  （Ｂ｀―Ｂ｀）は（Ｂ―Ｂ）に同じ
【手続補正２】
【補正対象書類名】明細書
【補正対象項目名】０００９
【補正方法】変更
【補正の内容】
【０００９】  １  ―  軸２の軸受け    ２  ―  回転基軸            ３  ―  コイル
４  ―  歯車            ５  ―  回転軸６の軸受け    ６  ―  回転軸
７  ―  コイル          ８  ―  リング歯車          ９  ―  歯車
１０  ―  歯車９の軸    １１  ―  フランジ          １２  ―  カバー
１３  ―  補強材        １４  ―  整流子
【手続補正３】
【補正対象書類名】図面
【補正対象項目名】全図
【補正方法】変更
【補正の内容】
【図１】
2019017233.tif 000001
【図２】
2019017233.tif 000002
【図３】
2019017233.tif 000003
【図４】
2019017233.tif 000004
【図５】
2019017233.tif 000005
【図６】
2019017233.tif 000006
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
チューナ部が、第１の事業体が送出する第１のサービス信号を含む、地上デジタルテレビジョン放送、ＢＳデジタル放送および広帯域ＣＳデジタル放送の少なくとも１つを受信し、前記第１のサービス信号に含まれる、暗号化された第１キー（Ｋｗ）を含む前記第１の事業体の第１制御情報（ＥＭＭ）、暗号化された第２キー（Ｋｓ）を含む前記第１の事業体の第２制御情報（ＥＣＭ）ならびにスクランブルコンテンツを取得すること、
デスクランブラが、前記チューナ部から出力された前記スクランブルコンテンツをデスクランブルすること、
制御部が、前記デスクランブラから出力される前記ストリームの所定のテーブルをチェックすること、
前記所定のテーブルに含まれているパケットＩＤに基づいて、前記第１制御情報（ＥＭＭ）、前記第２制御情報（ＥＣＭ）を取り出すこと、
前記チューナ部、前記デスクランブラを制御すること、
ＣＡＳモジュールが、前記制御部により制御され、前記第１の事業体の第１制御情報（ＥＭＭ）から、固有の第３キー（Ｋｍ）を用いて前記第１キー（Ｋｗ）を取得し、前記第１の事業体の第２制御情報（ＥＣＭ）から、取得された前記第１キー（Ｋｗ）を用いて、前記デスクランブラに与えるための前記第２キー（Ｋｓ）を取得すること、
を備え、
さらに前記制御部は、
前記チューナ部により受信した前記第１の事業体の第１制御情報（ＥＭＭ）に対応した所定数の第１コマンド送信をＣＡＳモジュールに対して行うまでの間に、前記チューナ部により受信した前記第１の事業体の第２制御情報（ＥＣＭ）に対応した第２コマンド送信を前記ＣＡＳモジュールに対して行うこと、
を備える受信方法。
【請求項２】
前記チューナ部は、前記第１の事業体が放送する、前記第１のサービス信号から、第ｎ（ｎは整数）の事業体の第１制御情報（ＥＭＭ）を含む第ｎのサービス信号までの、ｎ通りのサービス信号を受信可能であり、
前記第１バッファは、前記制御部により前記第１の事業体の前記第１制御情報（ＥＭＭ）から前記第ｎの事業体の前記第１制御情報（ＥＭＭ）のｎ通りの前記第１制御情報（ＥＭＭ）を入力するために、ｎを超えるサイズを持つ請求項１に記載の受信方法。
【手続補正２】
【補正対象書類名】明細書
【補正対象項目名】発明の名称
【補正方法】変更
【補正の内容】
【発明の名称】受信方法
【手続補正３】
【補正対象書類名】明細書
【補正対象項目名】００１４
【補正方法】変更
【補正の内容】
【００１４】
そこで本実施形態においては、例えば厳密に１つのＣＡＳモジュールであったとしても、デスクランブルに必要なＥＣＭおよびＥＭＭの処理を取りこぼすことなく、契約番組の視聴を可能とし得る、受信方法を提供することを目的とする。
【手続補正４】
【補正対象書類名】明細書
【補正対象項目名】００１５
【補正方法】変更
【補正の内容】
【００１５】
実施形態によれば、チューナ部が、第１の事業体が送出する第１のサービス信号を含む、地上デジタルテレビジョン放送、ＢＳデジタル放送および広帯域ＣＳデジタル放送の少なくとも１つを受信し、前記第１のサービス信号に含まれる、暗号化された第１キー（Ｋｗ）を含む前記第１の事業体の第１制御情報（ＥＭＭ）、暗号化された第２キー（Ｋｓ）を含む前記第１の事業体の第２制御情報（ＥＣＭ）ならびにスクランブルコンテンツを取得すること、
デスクランブラが、前記チューナ部から出力された前記スクランブルコンテンツをデスクランブルすること、
制御部が、前記デスクランブラから出力されるストリームの所定のテーブルに含まれているパケットＩＤに基づいて、前記第１制御情報（ＥＭＭ）、前記第２制御情報（ＥＣＭ）を取り出すステップを有すると共に、前記チューナ部、前記デスクランブラを制御すること、
ＣＡＳモジュールが、前記制御部により制御され、前記第１の事業体の第１制御情報（ＥＭＭ）から、固有の第３キー（Ｋｍ）を用いて前記第１キー（Ｋｗ）を取得し、前記第１の事業体の第２制御情報（ＥＣＭ）から、取得された前記第１キー（Ｋｗ）を用いて、前記デスクランブラに与えるための前記第２キー（Ｋｓ）を取得すること、
を備え、
前記制御部は、
前記チューナ部により受信した前記第１の事業体の第１制御情報（ＥＭＭ）に対応した所定数の第１コマンド送信をＣＡＳモジュールに対して行うまでの間に、前記チューナ部により受信した前記第１の事業体の第２制御情報（ＥＣＭ）に対応した第２コマンド送信を前記ＣＡＳモジュールに対して行う受信方法を提供できる。